(57)【要約】【課題】  製品の外観に及ぼす影響が小さくなるように日除けをチャイルドシートのハンドルに装着することができるようにしたチャイルドシートを得ること。【解決手段】  日除け取付部材を兼ねる逆Ｕ字状のハンドルを揺動固定可能に装着したチャイルドシートに関する。ハンドル２１の互いに対向する内側面に日除け取付用の穴２６を形成し、上記チャイルドシート２０に取り付ける日除け２２の左右の両側面には、上記穴２６に係合する取付具２５を装着し、上記取付具２５をハンドル２１に設けられた穴２６に係合させることにより日除け２２をハンドル２１に着脱可能に取り付けるようにした。【選択図】  図２
2005186904.tif 000002
【特許請求の範囲】
【請求項１】
日除け取付部材を兼ねる逆Ｕ字状のハンドルを揺動固定可能に装着したチャイルドシートにおいて、上記ハンドルの互いに対向する内側面に日除け取付用の係合部を形成するとともに、上記チャイルドシートに取り付ける日除けの左右の両側面には、上記ハンドルと対向する位置に上記係合部に係合する取付具を装着し、上記取付具をハンドルに設けられた係合部に係合させることにより日除けを上記ハンドルに着脱可能に取り付けるようにしたことを特徴とする、チャイルドシート。
【請求項２】
ハンドルの互いに対向する内側面に長手方向に延びる肉盗み部を形成し、上記肉盗み部に前記係合部を設けたカバーを締結したことを特徴とする、請求項１記載のチャイルドシート。
【請求項３】
係合部は穴であることを特徴とする、請求項１または２記載のチャイルドシート。
【請求項４】
取付具は上記係合部に挿入係合されるクリップであることを特徴とする、請求項１乃至３のいずれかに記載のチャイルドシート。
【請求項５】
クリップは上記穴からなる係合部内に弾性的に係合可能としてあることを特徴とする、請求項１乃至４のいずれかに記載のチャイルドシート。
【請求項６】
係合部及び取付具は、互いに係脱可能なフック及び引っ掛け部材、或いは釦であることを特徴とする、請求項１または２記載のチャイルドシート。
【請求項７】
日除けの左右の両側内面には細長い補強板が設けられ、その補強板に取付具が取り付けられていることを特徴とする、請求項１乃至６のいずれかに記載のチャイルドシート。
【発明の詳細な説明】
【技術分野】
【０００１】
本発明はチャイルドシートに係り、特にベビーカーに着脱可能にするとともに、ベビーキャリー等としても使用し得るようにしたチャイルドシートにおける日除け取付部の構造の関する。  
【背景技術】
【０００２】
一般に、例えば１歳未満のような乳幼児を乗用車に乗せる場合にはチャイルドシートを使用することが行われている。このようなチャイルドシートは乗用車のシートに対して着脱可能としてあり、乗用車のシートから取り外した場合には、乳幼児をチャイルドシートに寝かせたまま移動するためのベビーキャリーとして、或いはベビーカーに装着してベビーカーのシートとして使用することができるようにしたものが提案されている。
【０００３】
図４は上記ベビーカー本体に装着可能としたチャイルドシート１０の概略形状を示す斜視図であって、チャイルドシート１０には逆Ｕ字状の日除け取付部材を兼ねるハンドル１１が揺動可能に設けられている。すなわち、チャイルドシート１０の両側部にはハンドル取付部１２が設けられており、そのハンドル取付部１２にハンドル１１の基端部が揺動固定可能に装着されている。そして、乗用車のシートから取り外した場合には、図５に示すように、ベビーカー本体１３に装着し、ベビーカーのシートとして使用する。
【０００４】
そして、チャイルドシートをベビーカー本体に装着した場合には、図６に示すように、チャイルドシート１０に装着されているハンドル１１を日除けの取付部材として兼用し、そのハンドル１１によって日除け１４を支持するとともに、上記日除け１４の両側前縁部に形成された巻き付け片１４ａをそれぞれハンドル１１の左右の直管部に巻き付け固定するように構成されている。
【発明の開示】
【発明が解決しようとする課題】
【０００５】
ところが、チャイルドシート１０に設けられたハンドル１１を日除け取付部材として使用する場合には、上述のように、日除け１４をハンドル１１に上方から覆うようにするとともにその日除け１４の両側前縁部に形成された巻き付け片１４ａをそれぞれハンドル１１の左右の直管部に巻き付け固定するものであるため、日除け１４を取り付けた場合にはハンドル１１が隠れ製品の外観が損なわれる可能性がある等の問題がある。
【０００６】
本発明は、このような点に鑑み、製品の外観に及ぼす影響が小さくなるように日除けをチャイルドシートのハンドルに装着することができるようにしたチャイルドシートを得ることを目的とする。
【課題を解決するための手段】
【０００７】
請求項１に係る発明は、日除け取付部材を兼ねる逆Ｕ字状のハンドルを揺動固定可能に装着したチャイルドシートにおいて、上記ハンドルの互いに対向する内側面に日除け取付用の係合部を形成するとともに、上記チャイルドシートに取り付ける日除けの左右の両側面には、上記ハンドルと対向する位置に上記係合部に係合する取付具を装着し、上記取付具をハンドルに設けられた係合部に係合させることにより日除けを上記ハンドルに着脱可能に取り付けるようにしたことを特徴とする。
【０００８】
請求項２に係る発明は、請求項１に係る発明において、ハンドルの互いに対向する内側面に長手方向に延びる肉盗み部を形成し、上記肉盗み部に前記係合部を設けたカバーを締結したことを特徴とする。
【０００９】
請求項３に係る発明は、請求項１または２に係る発明において、係合部は穴であることを特徴とする。
【００１０】
請求項４に係る発明は、請求項１乃至３のいずれかに係る発明において、取付具は上記係合部に挿入係合されるクリップであることを特徴とする。
【００１１】
請求項５に係る発明は、請求項１乃至４のいずれかに係る発明において、クリップは上記穴からなる係合部内に弾性的に係合可能としてあることを特徴とする。
【００１２】
請求項６に係る発明は、請求項１または２に係る発明において、係合部及び取付具は、互いに係脱可能なフック及び引っ掛け部材、或いは釦であることを特徴とする。
【００１３】
請求項７に係る発明は、請求項１乃至６のいずれかに発明において、日除けの左右の両側内面には細長い補強板が設けられ、その補強板に取付具が取り付けられていることを特徴とする。
【発明の効果】
【００１４】
本発明は、上述のように、ハンドルの互いに対向する内側面に日除け取付用の係合部を形成するとともに、上記チャイルドシートに取り付ける日除けの左右の両側面には、上記ハンドルと対向する位置に上記係合部に係合する取付具を装着し、上記取付具をハンドルに設けられた係合部に係合することにより日除けを上記ハンドルに着脱可能に取り付けるようにしたので、日除け取付時にハンドルが日除けによって覆われることがなく、製品の外観に及ぼす影響を小さくすることができる。
【発明を実施するための最良の形態】
【００１５】
以下、図１乃至図３を参照して本発明の実施の形態を説明する。
【００１６】
図１は本発明に係るチャイルドシートの側面図であり、チャイルドシート２０には逆Ｕ字状のハンドル２１がその基端を中心として揺動固定可能に設けられており、上記ハンドル２１の内側に扇形状に開閉される日除け２２が取り付けられている。上記ハンドル２１の互いに対向する内側面には、図２に示すように、長手方向に延びる肉盗み部が設けられ、その肉盗み部には長手方向に延びる板状のカバー２３がビス２４により固着され、上記肉盗み部が被覆されている。上記カバー２３には、後述する日除け取付用の取付具２５の先端部が圧入される複数個の穴２６が形成されている。一方、上記日除け２２には、ハンドル２１への取り付け時にハンドル２１と対向する箇所に細長い板状の補強部材２７が裏打ちされており、上記補強部材２７が裏打ちされている部分には前記ハンドル２１に設けられている穴２６と対応する位置に、有頭ピン状の取付具２５が装着されており、その先端部が日除け２２の外表面から突出されている。
【００１７】
上記有頭ピン状の取付具２５の外表面には、図３（ａ）に示すように、多数の弾性細片２５ａが設けられており、前記ハンドル２１に設けられた穴２５に圧入された時に上記多数の弾性細片２５ａの弾性により穴２６から不用意に抜け出すことがないようにしてある。
【００１８】
しかして、日除け２２をハンドル２１に装着する場合には、日除け２２を逆Ｕ字状のハンドル２１の内部空間に挿入配設し、日除け２２の外面から突出している上記取付具２５の先端部を前記ハンドル２１に締結されているカバー２３の穴２６に圧入係合することにより、日除け２２をハンドル２１に装着することができる。一方、日除け２２を取り外す場合には、上記取付具２５を穴２６から引き抜くことにより容易にハンドル２１から離脱させることができる。
【００１９】
図３（ｂ）は上記取付具の変形例を示す図であり、取付具２８のピン部に膨径部２８ｂが設けられており、ピン部が穴２５に圧入されたとき上記膨径部２８ｂの弾性によりその抜け出しが防止されるようにしてある。また、図３（ｃ）に示すように、ハンドル２１側に穴２５の代わりにだるま穴３０を形成し、取付具３１の先端太径部３１ａをだるま穴３０の小口部に係合させるようにしてもよい。さらに、図３（ｄ）のように取付具として皿形のホック釦３２を使用してもよい。また、図３（ｅ）に示すように、ハンドル２１側にフック３３を設け、日除け２２側に上記フック３３に係合可能な開口を有する係止具３４を装着し、上記係止具３４をフック３３に係合させるような構成とすることもできる。
【図面の簡単な説明】
【００２０】
【図１】本発明のチャイルドシートの側面図。
【図２】本発明における日除け取付部の構成を示す一部断面拡大図。
【図３】（ａ）乃至（ｅ）はそれぞれ取付具の変形例を示す図。
【図４】チャイルドシートの外形を示す斜視図。
【図５】ベビーカー本体にチャイルドシートを装着した状態を示す側面図。
【図６】チャイルドシートのハンドルに日除けを取り付けた状態を示す図。
【符号の説明】
【００２１】
２０  チャイルドシート
２１  ハンドル
２２  日除け
２３  カバー
２５、２８、３１  取付具
２５ａ  弾性細片
２６  穴
２７  補強部材
３３  フック
３４  係止具
【図１】
2005186904.tif 000003
【図２】
2005186904.tif 000004
【図３】
2005186904.tif 000005
【図４】
2005186904.tif 000006
【図５】
2005186904.tif 000007
【図６】
2005186904.tif 000008